(57)【特許請求の範囲】
【請求項１】
それぞれ記録膜が構成された２つのディスク層をそれらの背面どうしを突き合わせて一体に形成されており、中心にクランプ用の中心穴が両ディスク層を貫通して形成されており、両ディスク層の情報記録エリアよりも内周側の部分が両ディスク層の厚さをともに薄い厚さにされており、両ディスク層の情報記録エリアよりも内周側の部分にあるクランプエリアが該情報記録エリアにおける両ディスク層分の厚さよりも薄く形成されている光ディスク。
【発明の詳細な説明】
【０００１】
【発明の属する技術分野】
この発明は２層のディスク層を持つ光ディスク（再生専用ディスクまたは記録可能ディスク）に関し、既存の光ディスク装置で再生または記録を行えるようにしたものである。
【０００２】
【従来の技術】
２層のディスク層を有する光ディスクとして例えば図２に示す断面構造のものが提案されている。この光ディスク１０は、２層のディスク層１２，１４を貼り合わせて構成されている。ディスク層１２（ＣＤ層）は厚さが０．６ｍｍで、透明基板１６の背面側にＣＤフォーマットで情報を記録した、または記録する反射記録膜１８が形成されている。ディスク層１４（高密度層）は厚さが０．６ｍｍで、透明基板２０の背面側に所定の高密度記録フォーマット（例えばＤＶＤフォーマット）で情報を記録した、または記録する半反射記録膜２２が形成されている。２層のディスク層１２，１４はＣＤ層１２の前面１２ａと高密度層１４の背面１４ａを貼り合わせて一体化され、全体の厚さが１．２ｍｍに形成されている。
【０００３】
この光ディスク１０をＣＤ規格の再生装置または記録装置にセットすると、光ピックアップから出射される波長７８０ｎｍのレーザ光２４は対物レンズ２６で収束され、高密度層１４の半反射記録膜２２を透過して、ＣＤ層１２の反射記録膜１８にビームスポットを形成し、反射記録膜１８から記録信号が検出され、または反射記録膜１８に信号が記録される。また、光ディスク１０を高密度ディスク規格（例えばＤＶＤ規格）の再生装置または記録装置にセットすると、光ピックアップから出射される短波長（ＤＶＤの場合６３５〜６５０ｎｍ）のレーザ光２８は対物レンズ３０で収束され、半反射記録膜２２にビームスポットを形成し、半反射記録膜２２から記録信号が検出され、または半反射記録膜２２に信号が記録される。
【０００４】
【発明が解決しようとする課題】
図２の構造の光ディスク１０によれば、ＣＤ層１２を再生または記録する場合に、レーザ光２４が半反射記録膜２２を透過する際に減衰するため、再生装置または記録装置の機種によっては光量不足で再生または記録が困難となる場合があった。
【０００５】
この発明は、前記従来の技術における問題点を解決して、既存の光ディスク装置で再生または記録を確実に行えるようにした２層のディスク層を有する光ディスクを提供しようとするものである。
【０００６】
【課題を解決するための手段】
この発明の光ディスクは、それぞれ記録膜が構成された２層のディスク層をそれらの背面どうしを突き合わせて一体に構成し、中心にクランプ用の中心穴を形成し、両ディスク層の情報記録エリアよりも内周側の部分の厚さを該情報記録エリアにおけるほぼ一方のディスク層分の厚さに形成しているものである。この光ディスクによれば、２層のディスク層をそれらの背面どうしを突き合わせて一体に構成したので、各ディスク層の再生または記録はそれぞれの前面側から光ビームを照射して行われる。したがって、一方のディスク層の再生または記録を行う際に光ビームが他方の記録膜を透過しないので減衰が少なくてすみ、既存の再生装置または記録装置で再生または記録を確実に行うことができる。この場合、２層のディスク層をそれぞれ必要な厚さに構成する必要があるため、全体の厚さが厚くなるが、両ディスク層の情報記録エリアも内周側の部分の厚さを該情報記録エリアにおけるほぼ一方のディスク層分の厚さに形成することにより、既存の再生装置または記録装置でクランプすることができる。
【０００７】
この発明のディスクは、例えば各層のディスク層をそれぞれ透明基板に記録膜を形成しその上に保護膜を被せて構成し、両ディスク層をそれらの背面どうしを突き合わせて接着し一体化して構成することができる。両ディスク層の情報記録エリアよりも内周側の部分の厚さを情報記録エリアにおけるほぼ一方のディスク層分の厚さに形成するための構造として、両ディスク層の内周側の部分をそれぞれ薄く形成して、それらを貼り合わせてほぼ１層分の厚さに形成することができる。
【０００８】
２層のディスク層は、例えば相対的に低い記録密度で情報が記録されあるいは記録可能な相対的に厚いディスク層と、相対的に高い記録密度で情報が記録されあるいは記録可能な相対的に薄いディスク層で構成することができる。
【０００９】
この発明の光ディスクは、より具体的には、厚さが１．２ｍｍのＣＤ規格のＣＤ層と、記録密度が通常のＣＤ規格よりも高く厚さが１．２ｍｍよりも薄い高密度層をそれらの背面どうしを突き合わせて一体に構成することができる。高密度層は例えばＤＶＤ規格、倍密度ＣＤ規格、スーパー・オーディオＣＤ規格等による高密度層とすることができる。高密度層内の記録膜を複数層（例えば２層）とすることもできる。
【００１０】
【発明の実施の形態】
（参考例）
はじめに参考例を説明する。ここでは、１つのディスク層を、相対的に低い記録密度で情報が記録されあるいは記録可能な相対的に厚いディスクとして、ＣＤ層で構成し、別のディスク層を、相対的に高い記録密度で情報が記録されあるいは記録可能な相対的に薄いディスクとして、ＤＶＤ等の高密度層で構成した場合について説明する。図５はその構成を示すもので、（ａ）は平面図（半割状態で示す。）、（ｂ）はディスクの中心軸を通る断面図、（ｃ）は（ｂ）の断面の一部拡大図である。
【００１１】
光ディスク３２は、直径が１２０ｍｍで、ＣＤ層３４と高密度層３６で構成されている。ＣＤ層３４は、ポリカーボネート等の透明基板３８の片面に記録膜４０（反射膜）を成膜し、保護膜４２を被せて構成され、全体の厚さが１．２ｍｍに構成されている。ＣＤ層３４の中心には直径が１５ｍｍの中心穴４４が形成されている。記録膜４０はＣＤ規格で信号が記録されあるいは記録可能とされている。
【００１２】
高密度層３６は、ポリカーボネート等の透明基板４６の片面に記録膜４８（反射膜）を成膜し、保護膜５０を被せて構成され、全体の厚さが０．６ｍｍに構成されている。高密度層３６の中心には中心穴５２が形成されている。中心穴５２の直径は、ＣＤ層のクランピングエリア５４（内径（最大）が２６ｍｍ、外径（最小）が３３ｍｍのエリア）の外径よりも大きくかつ高密度層３６の情報記録エリア５６（再生専用ディスクの場合、最内周がリードインエリアから始まる領域、記録可能ディスクの場合、最内周がＰＣＡ、ＰＭＡ等のユーティリティエリアで始まる領域）の内径よりも小さく形成されている。記録膜４８は所定の高密度規格（例えばＤＶＤ規格）で信号が記録され、あるいは記録可能とされている。ＣＤ層３４と高密度層３６は、それらの背面どうし（接合面５７）を突き合わせて接着剤で接着して一体化されて全体の厚さが１．８ｍｍの光ディスク３２を構成している。
【００１３】
図５の光ディスク３２のＣＤ層３４の再生時あるいは記録時の状態を図３に示す。ＣＤ規格の通常の再生装置または記録装置のスピンドルモータの回転軸５８の頂部にはターンテーブル６０およびセンタスピンドル６２が固定形成されている。光ディスク３２はＣＤ層３４を下向きにして、中心穴４４にセンタスピンドル６２を差し込み、ＣＤ層３４の前面３４ａをターンテーブル６０上に載置支持して配置される。クランパ６４は高密度層３６の中心穴５２よりも小径に形成され、該中心穴５２を通してＣＤ層３４の背面３４ｂに密着して、ターンテーブル６０との間にＣＤ層３４を挟み込んで支持する。
【００１４】
レーザ光６６は波長が７８０ｎｍで、光ディスク３２の下面側から上方に向けて出射され、開口数が０．４〜０．５の対物レンズ６８で収束されて、ＣＤ層３４の前面３４ａ側から入射され、記録膜４０にビームスポットを形成する。スピンドルモータを駆動して光ディスク３２を回転することにより、記録膜４０から信号が読み出されあるいは記録膜４０に信号が書き込まれる。
【００１５】
図５の光ディスク３２の高密度層３６の再生時あるいは記録時の状態を図４に示す。所定の高密度規格の通常の再生装置または記録装置のスピンドルモータの回転軸７０の頂部にはターンテーブル７２およびセンタスピンドル７４が固定形成されている。光ディスク３２は高密度層３６を下向きにして、中心穴４４にセンタスピンドル７４を差し込み、ＣＤ層３４の背面３４ｂをターンテーブル７２上に載置支持して配置される。ターンテーブル７２は高密度層３６の中心穴５２よりも小径に形成されている。クランパ７６はＣＤ層３４の前面３４ａに密着して、ターンテーブル７２との間にＣＤ層３４を挟み込んで支持する。
【００１６】
レーザ光７８は波長が６３５〜６５０ｎｍ（ＤＶＤ、スーパー・オーディオＣＤの場合）または７８０ｎｍ（倍密度ＣＤの場合）で、光ディスク３２の下面側から上方に向けて出射され、開口数が０．６〜０．６５（ＤＶＤ、スーパー・オーディオＣＤの場合）または０．５〜０．６（倍密度ＣＤの場合）の対物レンズ７９で収束されて、高密度層３６の前面３６ａ側から入射され、記録膜４８にビームスポットを形成する。スピンドルモータを駆動して光ディスク３２を回転することにより、記録膜４８から信号が読み出されあるいは記録膜４８に信号が書き込まれる。この場合、高密度層３６はターンテーブル７２の上面よりも下方に位置することになるため、通常のディスク（全体の厚さが１．２ｍｍ厚の、高密度層のみで構成されるディスク）を再生または記録する場合に比べてフォーカス点が下がるが、一般に光ヘッドのワーキングディスタンスは１ｍｍ以上あるため、記録または再生を支障なく行うことができる。
【００１７】
（実施の形態）
前記参考例では、高密度層３６の中心穴５２を大径に形成することにより１．２ｍｍ厚のＣＤ層３４だけでクランピングするようにしたが、ＣＤ層３４、高密度層３６の情報記録エリアよりも内周側の部分をともに薄く形成することにより、クランプ箇所の板厚を１．２ｍｍにすることもできる。そのように構成した例を図１に示す。図１の光ディスク８０において図５と共通する部分には同一の符号を用いる。光ディスク８０はＣＤ層３４と高密度層３６をそれらの背面どうしを接着剤で接合して一体にして構成されている。
【００１８】
ＣＤ層３４の前面３４ａおよび高密度層３６の前面３６ａの中央部分８０ａには円形の凹部８２，８４がそれぞれ形成されて、この部分８０ａの板厚が全体で約１．２ｍｍに形成されている。この薄板部分８０ａの直径は、ＣＤ規格のクランピングエリアの外径（最小３３ｍｍ）より大きくかつ両ディスク層３４，３６の情報記録エリアの内径よりも小さく形成されている。薄板部分８０ａの中心（光ディスク８０の中心）には、直径１５ｍｍのクランプ用の中心穴４４が両ディスク層３４，３６を貫通して形成されている。この光ディスク８０は、前記図３、図４と同様にして、両ディスク層３４，３６を再生または記録することができる。
【図面の簡単な説明】
【図１】この発明の光ディスクの実施の形態を示す図で、ディスクの中心軸を通る断面図
【図２】従来の２層式光ディスクの断面図である。
【図３】図５の光ディスクをＣＤ規格の通常の再生装置または記録装置で再生または記録する状態を示す断面図である。
【図４】図５の光ディスクを高密度規格の通常の再生装置または記録装置で再生または記録する状態を示す断面図である。
である。
【図５】参考例を示す平面図（半割状態で示す。）、ディスクの中心軸を通る断面図、該断面図の一部拡大図である。
【符号の説明】
３２，８０ 光ディスク
３４ ＣＤ層（相対的に厚いディスク層）
３６ 高密度層（相対的に薄いディスク層）
４４ ＣＤ層の中心穴、クランプ用の中心穴
５２ 高密度層の中心穴
５４ クランピングエリア
５６ 情報記録エリア
【図１】
0003988236.tif 000002
【図２】
0003988236.tif 000003
【図３】
0003988236.tif 000004
【図４】
0003988236.tif 000005
【図５】
0003988236.tif 000006